(57)【要約】【課題】単純動作で、モニター表示面やプロジェクタ等で投影されたスクリーン表示面の作業スペースを狭くすることなく、単純構造のスタイラスで入力のモードの変更を可能にする入力表示システムを提供することを目的とする。【解決手段】導電性スタイラス４ａの交差部２５が、タッチパネルに張り巡らされた列検出電極１０や行検出電極１１において、合計１４個接触している場合には、導電性スタイラス４ａの存在を検知し、接触が検知できなくなった時点で、導電性スタイラス４ａが使用されていることとその色を認識設定する。同様に、列検出電極１０や行検出電極１１との接触、非接触を検知して、その他の導電性スタイラス４ｂ、４ｃの使用、非使用の別、色の切換えを可能とする。【選択図】図１０
2010262340.tif 000002
【特許請求の範囲】
【請求項１】
導電性を有する接触部を胴体部に有するスタイラスペン。
【請求項２】
電極が縦横に張り巡らされたタッチパネルと、導電性を有する接触部を有するスタイラスペンと、前記スタイラスペンの前記接触部を前記タッチパネルに近付けた際に導通した電極を判別する制御部とを有する入力表示システム。
【請求項３】
電極が縦横に張り巡らされたタッチパネルと、導電性を有する接触部を有するスタイラスペンと、前記タッチパネルと接続され前記スタイラスペンを格納できるよう一部が開放した格納部と、前記格納部の前記タッチパネルと対向した面に設けられた接地部と、前記スタイラスペンの前記接触部を前記タッチパネルに近付けた際に前記格納部の前記接地部と前記スタイラスペンの前記接触部とを通じて導通した電極を判別する制御部とを有する入力表示システム。
【請求項４】
電極が縦横に張り巡らされたタッチパネルと、導電性を有する接触部を有するスタイラスペンと、前記タッチパネルと接続され前記スタイラスペンを格納できるよう一部が開放した格納部と、前記格納部の前記タッチパネルと対向した面に設けられた接地部と、前記スタイラスペンの前記接触部を前記タッチパネルに近付けた際に前記格納部の前記接地部と前記スタイラスペンの前記接触部とを通じて導通した電極を判別する制御部と、前記制御部が判別した前記導通電極の情報に対応した前記スタイラスペンの種別情報を記憶する記憶部と、前記制御部が判別した前記導通電極の情報と前記記憶部に記憶された前記スタイラスペンの種別情報とに基づいて、前記スタイラスペンの種別に関する情報を出力する中央制御部とを有する入力表示システム。
【請求項５】
前記接触部の軸方向の幅がそれぞれ互いに異なる複数の前記スタイラスペンを有することを特徴とする請求項１〜請求項４記載の入力表示システム。
【請求項６】
前記接触部と非導通部の配列パターンがそれぞれ互いに異なる複数の前記スタイラスペンを有することを特徴とする請求項１〜請求項４記載の入力表示システム。
【請求項７】
請求項１〜請求項６に記載の格納部を供えたタッチパネルと、前記タッチパネルの走査に用いるコンピュータと、前記コンピュータ端末から入力された情報に基づき、映像を前記タッチパネルに表示するプロジェクタから構成されることを特徴とする入力表示システム。
【発明の詳細な説明】
【技術分野】
【０００１】
本発明は、タッチパネルを用いて指やスタイラス等でタッチ入力し、検出されたタッチ位置をコンピュータ等を介し、モニターの表示面やプロジェクタ等で光学的に投射されたスクリーン表示面に表示する等の入力表示システムであって、スタイラスの種類によって色、線種、線幅、イレーサー等を変更する入力表示システムに関するものである。
【背景技術】
【０００２】
近年、キーボードやマウス等の代替として、指やスタイラス等でタッチパネルに直接タッチ入力し、モニターの表示面やプロジェクタ等で光学的に投射されたスクリーン表示面等にタッチ位置を表示する入力表示システムが使用されている。
【０００３】
この従来の入力表示システムでは、モニターの表示面やスクリーン表示面の一部分に線色、実線や破線等の線種、線幅、イレーサー等の各モードを変更する為のメニューバーが表示され、前記メニューバーをスタイラスでタッチすることでモードが変更となり、それに対応した表示が行われるものが一般的である。
【０００４】
また、このような入力表示システムの他の技術として、スタイラス側にモード切換え機能を付加したものがある。スタイラスに切換え可能なオン／オフスイッチを付加し、その切換え回数によってモードを変更するものや、スタイラスの側面にスライドスイッチを付加し、スライドの摺動位置によってモードを変更するものが、（特許文献１）に開示されている。
【先行技術文献】
【特許文献】
【０００５】
【特許文献１】特開平７−１６０３９８号公報
【発明の概要】
【発明が解決しようとする課題】
【０００６】
しかしながら、上記の従来のスクリーンの表示面等にメニューバーを表示する入力表示システムでは、モードの変更の度にスクリーンにメニューバーを表示させ、メニューバーにタッチする動作が必要となり、またメニューバーの表示に使用する領域では入力及びその他の表示ができず、作業スペースが狭くなるという課題を有していた。
【０００７】
また、従来のスタイラス側にモード切換え機能を付加した入力表示システムでは、やはりモード切換えの為の動作が必要であると共に、スタイラスの構造が複雑化するという課題を有していた。
【０００８】
本発明は、このような従来の課題を解決するものであり、スクリーンの表示面等の作業スペースを狭くすることなく、単純構造のスタイラスで入力のモードを変更することができる入力表示システムを提供することを目的とする。
【課題を解決するための手段】
【０００９】
本発明は、上記目的を達成するために、少なくとも縦方向または横方向に形成された複数の検出電極を有し指やスタイラス等のタッチにより前記検出電極の静電容量変化でタッチ位置を検出するタッチパネルと、前記タッチパネルで検出したタッチ位置をモニターの表示面やプロジェクタ等で光学的に投射されたスクリーン表示面等に表示する表示装置とで構成され、導電材料により構成された接触部を有する複数の前記スタイラスと、電気的に接地された接地部が設けられ前記複数のスタイラスを格納可能な格納部とを有するものであって、前記複数のスタイラスが、前記タッチパネルへのタッチ時においては前記タッチ入力面と人体とが導通可能に構成され、前記格納部への格納時においては前記接地部と前記接触部とが接触するよう構成され、さらに前記接触部と前記タッチパネルのタッチ入力面との接触パターンを認識する認識手段を有する入力表示システムであって、前記接触部と前記タッチ入力面との接触パターンが各々異なる入力表示システムである。
【００１０】
この構成により、メニューバーにタッチする動作やスタイラス側のモード切換え動作等を行うことなくモードの変更が可能で、スクリーンの表示面等の表示スペースを狭くすることなく、単純な構造のスタイラスと使用することができる。
【発明の効果】
【００１１】
本発明の入力表示システムは、スタイラスペンの色の変更や線種等の変更の度にスクリーン上にアイコンやメニューバーを表示させる必要がなく、特殊な切換え動作がない為、切換え忘れや切換えミス等の発生頻度が少なくなる。また、スクリーンの表示面等の表示スペースにメニューバー等がない為、表示スペースを有効に使用できると共に、スタイラス構造が単純である為、落下等による耐衝撃性に優れ且つ安価に製作できるという効果を有する。
【図面の簡単な説明】
【００１２】
【図１】本発明の一実施例における入力表示システムの外観図
【図２】本発明の一実施例における入力表示システムの回路構成図
【図３】本発明の一実施例における入力表示システムのタッチパネル部分の断面図
【図４】本発明の一実施例における入力表示システムのタッチパネルの構成図
【図５】本発明の一実施例における入力表示システムのタッチパネルの動作タイミングチャート
【図６】本発明の一実施例における入力表示システムの検出回路の構成図
【図７】本発明の一実施例における入力表示システムの検出回路の信号波形の説明図
【図８】本発明の一実施例における入力表示システムに用いる導電性スタイラスの外観図
【図９】本発明の一実施例における入力表示システムに用いる導電性スタイラス格納時の断面図
【図１０】本発明の一実施例における入力表示システムの接触部の説明図
【図１１】本発明の一実施例における入力表示システムに用いる導電性スタイラスの概観図
【図１２】本発明の一実施例における入力表示システムに用いる導電性スタイラスの概観図
【発明を実施するための形態】
【００１３】
本発明の入力表示システムは、少なくとも縦方向または横方向に形成された複数の検出電極を有し指やスタイラス等のタッチにより前記検出電極の静電容量変化でタッチ位置を検出するタッチパネルと、前記タッチパネルで検出したタッチ位置をモニターの表示面やプロジェクタ等で光学的に投射されたスクリーン表示面等に表示する表示装置とで構成され、導電材料により構成された接触部を有する複数の前記スタイラスと、電気的に接地された接地部が設けられ前記複数のスタイラスを格納可能な格納部とを有するものであって、前記複数のスタイラスが、前記タッチパネルへのタッチ時においては前記タッチ入力面と人体とが導通可能に構成され、前記格納部への格納時においては前記接地部と前記接触部とが接触するよう構成され、さらに前記接触部と前記タッチパネルのタッチ入力面との接触パターンを認識する認識手段を有する入力表示システムである。
【００１４】
これにより、メニューバーにタッチする動作やスタイラス側のモード切換え動作等を行うことなくモードの変更が可能で、スクリーンの表示面等の表示スペースを狭くすることなく、単純な構造のスタイラスを使用することができるので、切換え忘れや切換えミス等の発生頻度が少なく、スクリーン表示面等の表示スペースを有効に使用できると共に、落下等による耐衝撃性に優れ且つ安価な導電性スタイラスを製作できる。
【実施例１】
【００１５】
以下、本発明の具体的な実施例について説明する。図１は本発明の一実施例における入力表示システムの外観図である。
【００１６】
１はインタラクティブボードで、接続配線を介し処理手段のコンピュータ２を経由し、表示手段であるプロジェクタ３と接続している。プロジェクタ３は、コンピュータ２から入力された画像情報や文字情報をタッチ入力面１６に投射し表示する。インタラクティブボード１は、導電性スタイラス４ａ〜４ｃを格納する為の格納部２３を有する。
【００１７】
図２は本発明の一実施例における入力表示システムの回路構成図である。
【００１８】
本回路はＭＰＵ（中央制御部）５、ＲＯＭ（記憶部）６、ＲＡＭ（一次記憶部）７を有し、ＭＰＵ５はコンピュータ２と接続可能で、タッチパネル９の制御回路１５及び電源８と接続している。タッチパネル９の制御回路１５から得られた信号はＭＰＵ５に取り込まれ、所定の処理を行った後、コンピュータ２を介してプロジェクタ３（図示せず）からタッチ入力面１６に投射される。
【００１９】
図３は本発明の一実施例における入力表示システムのタッチパネル部分の断面図であり、インタラクティブボードを例としたタッチパネル部分の断面図である。
【００２０】
タッチパネル９は、表面側に行検出電極１０が複数配線され、裏面側に行検出電極１０と交差するように列検出電極１１が複数配線された検出パネル１２と、タッチ入力面１６が積層されて構成されている。タッチ入力面１６の材料としては、ガラスや樹脂板等を用いることができる。
【００２１】
また、本実施例１では、検出パネル１２の両面に行検出電極及び列検出電極を構成しているが、検出パネルを２枚使用し、各々の片面に行検出電極及び列検出電極を構成して積層してもよい。この場合、行検出電極及び列検出電極がお互いに絶縁するように積層することが必要である。
【００２２】
図４は本発明の一実施例における入力表示システムのタッチパネルの構成図である。
【００２３】
検出パネル１２は、１０ａ〜１０ｆの複数の行検出電極、及び１１ａ〜１１ｈの複数の列検出電極を有する。実際にはもっと多くの検出電極を用いる場合が多いが、以後の説明を容易に行うため簡略化している。但し、電極数が増えても基本的な構成や動作は同じである。
【００２４】
検出パネル１２の材料はＰＥＴ、ＰＥＩ、ＰＥＳ等のフィルムや樹脂板、ガラス等を用いることができ、行検出電極１０及び列検出電極１１の材料としては、ＩＴＯ（酸化インジウムスズ）、Ａｇ等の金属やカーボンのペースト材料、導電性ポリマー、カーボンナノチューブ等を用いることが可能で、これらをスパッタリング法やスクリーン印刷法、グラビア印刷法、インクジェット印刷法等を用いて検出電極のパターンを形成することができる。１３ａは行検出電極選択回路、１３ｂは列検出電極選択回路、１４ａ、１４ｂは検出回路、１５は制御回路である。
【００２５】
次に、タッチパネル９の位置検出原理について説明する。図５は本発明の一実施例における入力表示システムのタッチパネルの動作タイミングチャートである。
【００２６】
図５において、行の位置を検出する時には、図４に示すように制御回路１５に制御される行検出電極選択回路１３ａによって行検出電極１０ａ〜１０ｆを周期Ｔ１で順次走査し、１０ｆの走査終了後、続いて列の位置を検出する時には、制御回路１５に制御される列検出電極選択回路１３ｂによって列検出電極１１ａ〜１１ｈを順次走査していき、検出回路１４ａ、１４ｂにて検出パネル１２上において静電容量が変化した位置、即ち静電容量が変化した行検出電極１０ａ〜１０ｆ及び列検出電極１１ａ〜１１ｈのなかで静電容量が変化した電極を検出し、これに基づいて検出パネル１２上のタッチ位置が決定される。
【００２７】
このとき、図２のＭＰＵ５は制御回路１５を介して、行検出電極１０ａ〜１０ｆ、列検出電極１１ａ〜１１ｈのなかで、静電容量が変化した電極がどれかを特定できる他、ある範囲内で静電容量が変化した電極の数の合計を検出したり、静電容量が変化した電極と変化しなかった電極の配列パターンを検出したり、静電容量が変化した連続した電極群と変化しなかった連続した電極群の配列パターンを検出したりする等、種々の検出機能を有している。
【００２８】
図６は本発明の一実施例における入力表示システムの検出回路の構成図である。
【００２９】
図６の検出回路は、図４の検出回路１４ａ、１４ｂの具体的な構成を示しており、互いに隣り合う各検出電極１０または１１の隣接電極間容量、列検出電極と行検出電極とがクロスすることによる容量及び浮遊容量とを含む静電容量Ｃと、抵抗Ｒ１及び時定数を決定する容量Ｃと抵抗Ｒの組合せから構成される検出電極抵抗値Ｒ２とによる時定数回路、電圧コンパレータ１８と充放電用スイッチ１９とで構成される。スイッチ１９はコンパレータ１８によって制御され、スイッチ１９はＢ点の電圧が“Ｈ”ならＯＮ、“Ｌ”ならＯＦＦになる。
【００３０】
以上のように構成された図４の検出回路１４ａ、１４ｂの動作について説明を加える。行検出電極選択回路１３ａによって、行検出電極１０のうちのある行電極が走査されると、図６において、抵抗Ｒ１を通して静電容量Ｃが充電されていき、Ａ点での電圧が上昇する。Ａ点の電圧がＶＲＥＦに達すると、コンパレータ１８の出力であるＢ点の電圧は“Ｈ”になり、スイッチ１９がＯＮになる。すると検出電極抵抗値Ｒ２の静電容量Ｃは一気に放電され、Ａ点の電圧はＶＲＥＦ以下になる。コンパレータ１８の出力は“Ｌ”に戻るのでスイッチ１９はＯＦＦとなり、再び静電容量Ｃの充電が始まる。このように、検出回路１４ａ、１４ｂは、静電容量Ｃの充放電を繰り返して発振状態を継続する。
【００３１】
図７は本発明の一実施例における入力表示システムの検出回路の信号波形の説明図である。
【００３２】
図３に示すように、指１７によるタッチ入力がなされると、その近傍の行検出電極１０には静電容量Ｃに加えて、容量ΔＣ１、容量ΔＣ２が追加される。これにより、図７の破線で示すように、指タッチがない場合に比べて指タッチがなされた部分は、図６のＡ点の電圧がＶＲＥＦに達するまでの時間が増えることで周期が長くなり、指タッチ入力がなされた行検出電極１０を決定することができる。
【００３３】
同様の原理で列検出電極１１側も指タッチ入力がなされた列検出電極１１を決定することができる為、行方向及び列方向の位置が決定され、タッチ入力がなされた位置の検出が可能となるのである。
【００３４】
尚、本実施例１ではタッチ入力がなされた位置検出方法として上記する自己容量検出方式を用いているが、他に相互容量検出方式等も用いることができる。
【００３５】
以上に述べた入力表示システムの構成を用いて、本発明の特徴的な部分について述べる。
【００３６】
図８は本発明の一実施例における入力表示システムに用いる導電性スタイラスの外観図であり、図８（ａ）〜（ｃ）は導電性スタイラスの外観図、図８（ｄ）は導電性スタイラスの断面図である。
【００３７】
導電性スタイラス４は、それぞれ、ケース２１、接触部２２、ケース２１の一端または両端に設けられたペン先２０により構成され、ペン先２０の材料としてはカーボン等を配合した導電性ゴムや導電性樹脂や導電性のスポンジを挙げることができ、ケース２１及び接触部２２の材料としては導電性樹脂やＡｌ等の金属を挙げることができる。
【００３８】
ケース２１ａ〜２１ｃには、凸状若しくはケース２１よりも径を大きく形成した接触部２２ａ〜２２ｃが設けられており、接触部２２は、２２ａ〜２２ｃの各々で軸方向の長さが互いに異ならせることも可能である。
【００３９】
図８（ｄ）ではケース２１ａと接触部２２ａが同材料で構成されているが、導電性を有する材料であれば３種類とも同じ材料を使用しても、３種類とも異なる材料を使用することも可能である。
【００４０】
次に、検出パネル１２上における導電性スタイラス４ａ〜４ｃの認識方法について説明する。図９は本発明の一実施例における入力表示システムに用いる導電性スタイラス格納時の断面図である。
【００４１】
図１で説明したインタラクティブボード１には、上方または前方を開放した格納部２３が設けられ、そのタッチ入力面１６と対向した内面に電気的に接地された接地部２４が設けられている。本実施例１では格納部２３の一部を接地部としているが、格納部の全体を接地部としてもよい。
【００４２】
格納部２３に導電性スタイラス４が格納されている場合は、図９に示すように接地部２４とタッチ入力面１６に導電性スタイラス４の接触部２２が接触している。この場合、図３に示す指タッチ入力がなされている状況と同様に、導電性スタイラス４近傍の行検出電極１０には導電性スタイラス４を格納していないときの静電容量Ｃに導電性スタイラス４を格納したときに発生する容量ΔＣ３、容量ΔＣ４が追加される為、それに対応する行検出電極１０及び列検出電極１１が導通し、図２のＭＰＵ５は制御回路１５を介して、接触部２２が格納部２３に格納されて導通した行検出電極１０を特定することができる。また同様に列検出電極１１も特定することができるのである。
【００４３】
図１０は本発明の一実施例における入力表示システムの接触部の説明図であり、格納部２３内における導電性スタイラス４の接触部２２の認識状況を示したものである。
【００４４】
図１０（ａ）は導電性スタイラス４ａ、図１０（ｂ）は導電性スタイラス４ｂ、図１０（ｃ）は導電性スタイラス４ｃのそれぞれが、図９で説明したように同一のインタラクティブボード１の格納部２３に格納され、それぞれの接触部２２ａ〜２２ｃが接地部２４とタッチ入力面１６に接触し、タッチパネル９で認識されている状態を示している。
【００４５】
また、例えば、導電性スタイラス４ａには黒色、導電性スタイラス４ｂには赤色、導電性スタイラス４ｃには青色が割り当てられているとする。当然のことながら、導電性スタイラス４ａ、４ｂ及び４ｃの内部には、それぞれ黒色、赤色、青色のインクが充填され、ペン先２０より滲出するよう構成されていても良い。その場合、図１０に示す導電性スタイラス４ａ、４ｂ、４ｃのペン先２０を図１のタッチ入力面１６上に接触させれば、図１のプロジェクタ３から投影される色と、タッチ入力面１６上に残されるインクの色とが一致するようになる。
【００４６】
尚、図１０に示す１００ａ〜１００ｃは図４、図９に示す行検出電極１０の一部であり、図１０に示す１１０ａ〜１１０ｌ、１１０ａ〜１１０ｌ、１１０ａ〜１１０ｌは図４、図９に示す列検出電極１１の一部である。図１０における行検出電極１０と列検出電極１１の数が図７以前よりも増え、符号も図７以前と異なっているが、これは導電性スタイラス４ａ、４ｂ、４ｃと行検出電極１０及び列検出電極１１との関係をよりわかり易く説明するためである。前述したように、電極数が増えても基本的な構成や動作は図７以前と同じである。
【００４７】
図１０（ａ）に示すように、導電性スタイラス４ａを図９の格納部２３に格納している状態では、接触部２２ａに近接する行検出電極１００ｂと１００ｃ、及び列検出電極１１０ｅ〜１１０ｋにおいて、例えば図７に示す実線の信号波形から破線の信号波形へと変化する。その為、図４の検出回路１４ａ、１４ｂはそれらの電極が交差する合計１４個の連続する交差部２５を近接している位置として認識することができる。
【００４８】
また、同様に図１０（ｂ）〜（ｃ）に示すように、導電性スタイラス４ｂを格納部２３に格納している状態では合計１０個の連続する交差部２５、導電性スタイラス４ｃを格納部２３に格納している状態では合計６個の連続する交差部２５が、導電性スタイラス４との近接位置として、図４の検出回路１４ａ、１４ｂにより認識可能である。
【００４９】
このように、図２のＭＰＵ５は、導電性スタイラス４ａでは横方向に連続７個の交差部２５が行検出電極１００ｂと１００ｃ上の同じ位置に存在するという固有の接触パターン、導電性スタイラス４ｂでは横方向に連続５個の交差部２５が行検出電極１００ｂと１００ｃ上の同じ位置に存在するという固有の接触パターン、導電性スタイラス４ｃでは横方向に連続３個の交差部２５が行検出電極１００ｂと１００ｃ上の同じ位置に存在するという固有の接触パターンを認識できる為、図４の制御回路１５はこの固有の接触パターンにより、導電性スタイラス４ａ〜４ｃのいずれが格納部２３に格納されているかの識別が可能となる。
【００５０】
つまり、この固有の接触パターンを予め図２のＲＯＭ６に保存し、ＭＰＵ５がＲＯＭ６に保存されたパターンとタッチパネル９で認識したパターンを比較することで、格納部２３に格納されている導電性スタイラス４の種類４ａ〜４ｃの別を判別することができるのである。
【００５１】
次に、その他の使用方法として、例えば、使用者が導電性スタイラス４ａを使用するため、導電性スタイラス４ａを格納部２３から取り出した場合は、導電性スタイラス４ａが格納部２３から存在しなくなる為、横方向に連続７個の交差部２５が行検出電極１００ｂと１００ｃ上の同じ位置に存在するという固有の接触パターンが消失することで、図２のＭＰＵ５は導電性スタイラス４ａが使用されているとの認識が可能である。
【００５２】
また、導電性スタイラス４ａの割り当てられている色もＲＯＭ６に予め保存されている為、ＭＰＵ５は導電性スタイラス４ａが黒色であることも認識でき、導電性スタイラス４ａを格納部２３から取り出した後にモードの切換え動作を行う必要がなく、そのまま黒色の線での入力が可能となる。
【００５３】
使用者が導電性スタイラス４の線色を赤色に変更したい場合は、導電性スタイラス４ａを格納部２３に戻し、導電性スタイラス４ｂを格納部２３から取り出して使用すれば、図２のＭＰＵ５はＲＯＭ６の情報から導電性スタイラス４ｂが格納部２３から取り出されたことと導電性スタイラス４ｂが赤色であることが認識できるし、以下同様に、青色に変更したい場合は導電性スタイラス４ｃを取り出して使用すればよいという極めて単純で、通常のホワイトボード用のマーカーを使う感覚と同じ動作で色の変更を行うことができる。
【００５４】
このように構成しておけば、導電性スタイラス４ａを検出するための列検出電極は、図１０（ａ）に示す１１０ｅ〜１１０ｋに限られず、例えば図１０（ｂ）の１１１ｅ〜１１１ｋであっても良い。要するに、導電性スタイラス４ａが格納部２３のどこに載置されようとも、連続した７本の列検出電極と行検出電極１００ｂ及び１００ｃとにより、１４個の交差部が検出されればよい。
【００５５】
他の導電性スタイラス４ｂ、４ｃについても同様である。つまり導電性スタイラス４ａ〜４ｃは、図９に示す格納部２３の中のどの領域にあっても良いということになる。これによりユーザーは、導電性スタイラスを使用した後の格納部２３への収納時に格納場所を意識する必要が無くなるので、利便性が向上する。
【００５６】
また、本実施例１では、導電性スタイラス４のモードの割り当てを線色としているが、実線や破線や二点差線等の線種、線幅を割り当ててもよいし、導電性スタイラス４の中の１本にイレーサー機能を割り当ててもよく、固有の接触パターンの識別が可能な範囲であれば導電性スタイラス４を増設してもよい。
【００５７】
また、本実施例１では、導電性スタイラス４の接触部２２が接地部２４とタッチ入力面１６に接触しているが、タッチパネル９の感度が良好で固有の接触パターンを認識できるのであれば、接触部２２タッチ入力面１６に必ずしも完全に接触することは絶対条件ではなく、行検出電極１０及び列検出電極１１が、導電性スタイラス４の接触部２２の存在を認識するに充分な距離だけ近づいたことを検知できればよい。
【００５８】
図１１、図１２は本発明の一実施例における入力表示システムに用いる導電性スタイラスの概観図であり、図８で示したものとは異なる形態例を示している。
【００５９】
図８で示した導電性スタイラス４ａ〜４ｃは、接触部２２ａ〜２２ｃの長さを変えることで、検出される各々の導電性スタイラス４の固有の接触パターンを変更しているが、図１１（ａ）〜（ｃ）に示すように、接触部２２ｄ〜２２ｆの軸方向の長さまたは接触部２２ｄ〜２２ｆ同士の間隔を変えることで固有の接触パターンを変更する方法や、図１２（ａ）〜（ｃ）に示す導電性スタイラス４ｇ〜４ｈのように断面形状を変えることで、接触部２２ｇ〜２２ｉの固有の接触パターンを変更する方法も用いることができる。これらを採用する場合には、そのパターン独自の形状を識別し易いように、列検出電極１０や行検出電極１１のピッチ幅、パターン幅等の最適化が必要となる。
【００６０】
以上に示す通り、本実施例１の入力表示システムはメニューバーにタッチする動作やスタイラス側のモード切換え動作等を行うことなくモードの変更が可能である為、切換え忘れや切換えミス等の発生頻度も少なく、通常のマーカー感覚で導電性スタイラスを使用することができることに加え、落下等による耐衝撃性に優れ且つ安価な導電性スタイラスを供給することができる。また、スクリーンの表示面等のアイコンやメニューバーを表示する必要がなく、書き込みスペース、情報表示スペースを狭くすることがないので、描画スペースを最大限使用することが可能となる他、スクリーン面積の小型化を図ることができる。
【産業上の利用可能性】
【００６１】
本発明にかかる入力表示システムは、メニューバーにタッチする動作やスタイラス側のモード切換え動作等を行うことなくモードの変更が可能であり、スクリーンの表示面等の表示スペースを狭くすることがないので、モニターやプロジェクタを用いた各種、各サイズの入力表示システムへの利用が可能である。
【符号の説明】
【００６２】
１    インタラクティブボード
２    コンピュータ
３    プロジェクタ
４    導電性スタイラス
５    ＭＰＵ
６    ＲＯＭ
７    ＲＡＭ
８    電源
９    タッチパネル
１０    行検出電極
１１    列検出電極
１２    検出パネル
１３ａ    行検出電極選択回路
１３ｂ    列検出電極選択回路
１４    検出回路
１５    制御回路
１６    タッチ入力面
１７    指
１８    コンパレータ
１９    スイッチ
２０    ペン先
２１    ケース
２２    接触部
２３    格納部
２４    接地部
２５    交差部
【図１】
2010262340.tif 000003
【図２】
2010262340.tif 000004
【図３】
2010262340.tif 000005
【図４】
2010262340.tif 000006
【図５】
2010262340.tif 000007
【図６】
2010262340.tif 000008
【図７】
2010262340.tif 000009
【図８】
2010262340.tif 000010
【図９】
2010262340.tif 000011
【図１０】
2010262340.tif 000012
【図１１】
2010262340.tif 000013
【図１２】
2010262340.tif 000014